(57)【要約】【課題】リモコンによって遠隔操作可能な液晶プロジェクタにおいて、リモコンに設定されているＩＤ番号をユーザに容易に把握させる。【解決手段】プロジェクタは、リモコンから受信した受信ＩＤが予め定められた許可ＩＤであり（Ｓ１０にてＹＥＳ）、リモコンから受信したコマンドが予め定められたＩＤ表示コマンドＦＦｈであると（Ｓ２０にてＹＥＳ）、受信ＩＤがプロジェクタに設定されているセット側ＩＤと一致するか否かを判断することなく、受信ＩＤおよびセット側ＩＤをオンスクリーン表示するための処理を行なう（Ｓ３０）。【選択図】図５
2011019063.tif 000002
【特許請求の範囲】
【請求項１】
リモートコントロール装置によって遠隔操作可能な画像の表示処理装置であって、前記リモートコントロール装置は、複数の識別情報のうちの１つである第１識別情報を予め記憶し、前記第１識別情報とユーザの操作に応じた指令情報とを送信し、
前記表示処理装置は、
前記リモートコントロール装置から前記第１識別情報および前記指令情報を受信する受信部と、
前記複数の識別情報のうちの１つである第２識別情報を予め記憶する記憶部と、
画像を表示するための処理を行なう処理部とを含み、
前記処理部は、前記指令情報が予め定められた情報である場合、前記第１識別情報と前記第２識別情報とが一致するか否かを判断することなく前記予め定められた情報に応じた処理を行ない、前記指令情報が前記予め定められた情報でない場合、前記第１識別情報と前記第２識別情報とが一致するか否かを判断し、前記第１識別情報と前記第２識別情報とが一致するときに前記指令情報に応じた処理を行なう、画像の表示処理装置。
【請求項２】
前記予め定められた情報に応じた処理は、前記第１識別情報を示す画像を表示するための処理である、請求項１に記載の画像の表示処理装置。
【請求項３】
前記予め定められた情報に応じた処理は、前記第２識別情報を示す画像を表示するための処理、および、前記第１識別情報と前記第２識別情報とを示す画像を表示するための処理のいずれかである、請求項１に記載の画像の表示処理装置。
【請求項４】
前記予め定められた情報に応じた処理は、前記第１識別情報および前記第２識別情報の少なくともいずれかの識別情報を表示させるための操作手法を示す画像を表示するための処理である、請求項１に記載の画像の表示処理装置。
【発明の詳細な説明】
【技術分野】
【０００１】
本発明は、画像の表示処理装置に関し、特に、画像の光をスクリーン上に投影することにより画像を投影するためのプロジェクタに関する。
【背景技術】
【０００２】
近年、テレビや液晶プロジェクタなどの電気機器では、本体機器に設けられた操作部での操作に加えて、リモートコントロール装置（以下、単に「リモコン」ともいう）を使用して遠隔操作するのが一般的になっている。
【０００３】
リモコンの出力信号には、一般的に、操作可能な本体機器を特定するための識別番号（ＩＤ番号）を示すカスタムコードと、ユーザのコマンドを示すデータコードとが含まれる。
【０００４】
カスタムコードは一般的にメーカ毎および機種毎に複数割り当てられている。そして、割り当てられた複数のカスタムコードのうちのいずれかを本体機器およびリモコンの双方にユーザが任意に設定できるようにして、特定の本体機器のみを特定のリモコンで操作できるようにしている。
【０００５】
特開２００８−３５１９５号公報（特許文献１）には、本体機器側のＩＤ番号（リモコン番号）を容易に設定することができる技術を開示する。特許文献１に開示された本体機器は、リモコンから受信したＩＤ番号と本体機器に設定されているＩＤ番号とが異なる場合、本体機器の表示部に本体機器側のＩＤ番号を点滅表示させ、その後、ユーザがリモコンの特定キーを所定期間以上押下した場合に、本体機器側のＩＤ番号をリモコンから受信したＩＤ番号に変更し、本体機器に新たに設定されたＩＤ番号を本体機器の表示部に点滅表示させる。これにより、リモコン側と本体機器側とでＩＤ番号が異なる場合にであっても、ユーザはリモコンの特定キーを所定期間以上押下するだけで、容易に本体機器側のＩＤ番号をリモコン側のＩＤ番号に設定することができる。
【先行技術文献】
【特許文献】
【０００６】
【特許文献１】特開２００８−３５１９５号公報
【発明の概要】
【発明が解決しようとする課題】
【０００７】
ところで、リモコンには自らに設定されているＩＤ番号を表示する手段がないことがあり、この場合、ユーザはリモコンに設定されているＩＤ番号を知ることはできない。
【０００８】
しかしながら、特許文献１には、本体機器側のＩＤ番号の表示手法については開示されているが、リモコン側のＩＤ番号を表示したり確認したりするための手法については何ら開示されていない。
【０００９】
本発明は、上述の課題を解決するためになされたものであって、その目的は、リモコンによって遠隔操作可能な画像の表示処理装置において、リモコンに設定されているＩＤ番号をユーザに容易に把握させることができる画像の表示処理装置を提供することである。
【課題を解決するための手段】
【００１０】
この発明に係る画像の表示処理装置は、リモートコントロール装置によって遠隔操作可能な画像の表示処理を行なう装置である。リモートコントロール装置は、複数の識別情報のうちの１つである第１識別情報を予め記憶し、第１識別情報とユーザの操作に応じた指令情報とを送信する。この表示処理装置は、リモートコントロール装置から第１識別情報および指令情報を受信する受信部と、複数の識別情報のうちの１つである第２識別情報を予め記憶する記憶部と、画像を表示するための処理を行なう処理部とを含む。処理部は、指令情報が予め定められた情報である場合、第１識別情報と第２識別情報とが一致するか否かを判断することなく予め定められた情報に応じた処理を行ない、指令情報が予め定められた情報でない場合、第１識別情報と第２識別情報とが一致するか否かを判断し、第１識別情報と第２識別情報とが一致するときに指令情報に応じた処理を行なう。
【００１１】
好ましくは、予め定められた情報に応じた処理は、第１識別情報を示す画像を表示するための処理である。
【００１２】
好ましくは、予め定められた情報に応じた処理は、第２識別情報を示す画像を表示するための処理、および、第１識別情報と第２識別情報とを示す画像を表示するための処理のいずれかである。
【００１３】
好ましくは、予め定められた情報に応じた処理は、第１識別情報および第２識別情報の少なくともいずれかの識別情報を表示させるための操作手法を示す画像を表示するための処理である。
【発明の効果】
【００１４】
本発明によれば、リモコンによって遠隔操作可能な画像の表示処理装置において、リモコンに設定されているＩＤ番号をユーザに容易に把握させることができる。
【図面の簡単な説明】
【００１５】
【図１】本発明の実施の形態に係るプロジェクタシステムの概略構成図である。
【図２】リモートコントロール装置の出力信号の波形図（その１）である。
【図３】リモートコントロール装置の出力信号の波形図（その２）である。
【図４】プロジェクタの機能ブロック図である。
【図５】プロジェクタの制御構造を示すフローチャート（その１）である。
【図６】プロジェクタシステムの使用例を示す図である。
【図７】プロジェクタの制御構造を示すフローチャート（その２）である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰返さない。
【００１７】
＜第１の実施の形態＞
図１は、本実施の形態に係る液晶のプロジェクタシステムを示す。なお、本発明の適用が可能な装置は、リモートコントロール装置（以下、「リモコン」という）によって遠隔操作が可能なものであれば、液晶であることにもプロジェクタであることにも限定されない。
【００１８】
このプロジェクタシステムは、スクリーンＳＣに画像を表示するためのプロジェクタＰＪと、プロジェクタＰＪを遠隔操作するためのリモコンＲＭとを備える。
【００１９】
プロジェクタＰＪから画像の光が投射されることにより、投影面であるスクリーンＳＣに画像が投影される。投影面は、スクリーンＳＣに限定されず、たとえば壁面であってもよい。
【００２０】
プロジェクタＰＪは、投影するべき画像データを生成する処理を行なう画像処理装置１と、画像処理装置１が生成した画像信号に応じた画像をスクリーンＳＣに投影するための投影部２０とを含む。なお、画像処理装置１をプロジェクタの外部に備えるようにしてもよい。
【００２１】
画像処理装置１は、画像供給部２、画像処理部３、表示制御部４、入力受付部５、受信部６、記憶部７を含む。
【００２２】
画像供給部２は、予め記憶された画像、カメラなどによって撮像された画像、他の機器から入力された画像などのデータを画像処理部３に供給する。
【００２３】
入力受付部５は、ユーザが入力した操作情報を画像処理部３に対して出力する。
受信部６は、リモコンＲＭからの出力信号を受信して画像処理部３に対して出力する。
【００２４】
記憶部７は、画像データ、コード、マップ、制御プログラム等のさまざまな情報が記憶され、必要に応じて画像処理部３からデータが読み出されたり格納されたりする。
【００２５】
画像処理部３は、入力受付部５からのユーザ操作情報や受信部６が受信したリモコン信号などに基づいて、画像供給部２から供給された画像データを所定処理して、画像信号を表示制御部４に出力する。なお、画像処理部３については後に詳述する。
【００２６】
表示制御部４は、画像処理部３から出力された画像信号に従い、接続された投影部２０による画像の表示動作を制御するための駆動信号８を生成して投影部２０に出力する。
【００２７】
投影部２０は、表示制御部４からの駆動信号８に応じた画像（すなわち画像処理装置１が生成した画像信号に応じた画像）を液晶パネル（図示せず）に表示し、その液晶パネルの画像をスクリーンＳＣに投影する。
【００２８】
記憶部７には、ユーザによって設定された識別番号（以下、「ＩＤ番号」ともいう）、ユーザ操作に対応する複数のコマンド、それらのコマンドに対する処理などが予め記憶される。なお、以下では、記憶部７に記憶されたＩＤ番号（プロジェクタＰＪのＩＤ番号）を、「セット側ＩＤ」ともいう。
【００２９】
このプロジェクタシステムにおいては、ＩＤ番号として、複数の許可ＩＤが予め割り当てられている。本実施の形態では、３３００ｈ、３３１１ｈ、３３２２ｈ、・・・３３７７ｈの合計８種類の許可ＩＤが割り当てられている。なお、許可ＩＤの値および数はあくまで例示であってこれに限定されない。
【００３０】
ユーザは、入力受付部５あるいはリモコンＲＭを操作することにより、スクリーンＳＣに表示（以下、「オンスクリーン表示」あるいは「ＯＳＤ」ともいう）されたメニュー画面から、セット側ＩＤを複数の許可ＩＤのうちのいずれかに変更することができる。なお、セット側ＩＤの初期値は、たとえば「３３００ｈ」である。
【００３１】
一方、リモコンＲＭは、プロジェクタＰＪを遠隔操作するための信号をユーザ操作に応じてプロジェクタＰＪに出力する。
【００３２】
リモコンＲＭは、入力受付部３１、記憶部３２、処理部３３、送信部３４を含む。入力受付部３１は、ユーザが入力した操作情報を処理部３３に対して出力する。
【００３３】
記憶部３２には、ユーザによって設定されたリモコンＲＭのＩＤ番号（以下、「リモコン側ＩＤ」ともいう）と、ユーザ操作に応じたコマンドとが予め記憶される。
【００３４】
ユーザは、入力受付部３１を操作することにより、リモコン側ＩＤを上述した複数の許可ＩＤのうちのいずれかに変更することができる。なお、リモコン側ＩＤの初期値も、たとえば「３３００ｈ」である。
【００３５】
記憶部３２には、ユーザ操作に応じたコマンドの１つとして、通常のコマンドとは別に、ＩＤ表示コマンド「ＦＦｈ」が予め記憶されている。このＩＤ表示コマンド「ＦＦｈ」は、ＩＤ番号をオンスクリーン表示させるためのコマンドである。
【００３６】
処理部３３は、入力受付部３１からユーザの操作情報が入力されると、リモコン側ＩＤとユーザ操作に応じたコマンドとを記憶部３２から読み出し、これらのリモコン側ＩＤおよびコマンド情報を含む出力信号を、赤外線発光ダイオードで構成された送信部３４からプロジェクタＰＪに送信させる。
【００３７】
処理部３３は、ユーザが予め定められたＩＤ表示操作を行ったことを示す情報が入力受付部３１から入力された場合に、リモコン側ＩＤと上述したＩＤ表示コマンドＦＦｈを含む出力信号を、送信部３４からプロジェクタＰＪに送信させる。ここで、予め定められたＩＤ表示操作は、ユーザがＩＤ番号をオンスクリーン表示させることを要求するための操作であって、通常操作とは異なる特殊な操作に設定される。なお、この特殊な操作を、たとえば複数の操作ボタンを同時に長く押す操作などに設定することで、専用の操作ボタン等を設ける必要はなく従来の製品に容易に適用することができる。
【００３８】
図２、３を参照して、リモコンＲＭの出力信号について説明する。なお、図２、３に示す出力信号は、あくまで例示であってこれに限定されるものではない。
【００３９】
リモコンＲＭの出力信号には、リーダコード、カスタムコード、データコードが含まれる。
【００４０】
リーダコードは、ユーザによるリモコン操作があったことを示す。カスタムコードは、リモコン側ＩＤを示す。データコードは、ユーザ操作に応じたコマンドを示す。
【００４１】
ユーザがリモコンＲＭを操作すると、図２に示すように、所定期間ａの間で、まずリーダコードが出力され、その後にカスタムコードおよびデータコードが出力される。
【００４２】
ユーザが同じ操作を継続し続けた場合には、リモコンＲＭの消費電力（赤外線発光ダイオードの消費電力）を低減するために、２回目以降は、所定期間ｂの間でリーダコードおよびストップビットだけを送信する処理が、所定間隔ｃごとに繰り返し行なわれる。
【００４３】
図３に示すように、カスタムコードおよびデータコードは、それぞれ１６ビットで構成され、カスタムコード、データコードの順に出力される。
【００４４】
カスタムコードの１６ビットうち、最初の８ビットは、リモコン側ＩＤを示し、残りの８ビットは、カスタムコードと同じコード、あるいはカスタムコードの各ビット信号をそれぞれ反転したコードを示す。
【００４５】
データコードの１６ビットうち、最初の８ビットは、ユーザ操作に応じたコマンドを示し、残りの８ビットは、データコードの各ビット信号をそれぞれ反転したコードを示す。なお、プロジェクタＰＪ側では、データコードの最初の８ビットと残りの８ビットとが上述した反転関係にある場合にのみ、有効なコマンドとして認識される。これにより、ノイズによる誤動作（コード化け）が防止される。
【００４６】
図４に、リモコンＲＭの出力信号を受信した場合のプロジェクタＰＪ（画像処理部３）の機能ブロック図を示す。
【００４７】
画像処理部３は、第１判断部３Ａ、第２判断部３Ｂ、ＩＤ表示処理部３Ｃ、コマンド実行部３Ｄを含む。
【００４８】
第１判断部３Ａは、リモコンＲＭから受信したリモコン側ＩＤ（以下、単に「受信ＩＤ」ともいう）が許可ＩＤであるか否か（受信ＩＤが３３００ｈ〜３３７７ｈの８種類の許可ＩＤのいずれかであるか否か）を判断する。
【００４９】
第２判断部３Ｂは、リモコンＲＭから受信したコマンド（以下、単に「受信コマンド」ともいう）が上述したＩＤ表示コマンドＦＦｈであるか否かを判断する。
【００５０】
ＩＤ表示処理部３Ｃは、受信ＩＤが許可ＩＤでありかつ受信コマンドがＩＤ表示コマンドＦＦｈである場合、受信ＩＤとセット側ＩＤとが一致するか否かを判断することなく、ＩＤ表示コマンドに対応する処理を実行する。ＩＤ表示処理部３Ｃは、ＩＤ表示コマンドＦＦｈに対応する処理として、受信ＩＤおよびセット側ＩＤをオンスクリーン表示するための処理を行なう。なお、受信ＩＤおよびセット側ＩＤのいずれか一方をオンスクリーン表示するための処理を行なうようにしてもよい。
【００５１】
コマンド実行部３Ｄは、受信ＩＤが許可ＩＤでありかつ受信コマンドがＩＤ表示コマンドＦＦｈ以外のコマンドである場合、受信ＩＤとセット側ＩＤとが一致することを条件として受信コマンドに対応する処理を実行する。
【００５２】
なお、受信ＩＤが許可ＩＤでない場合、あるいは受信コマンドがＩＤ表示コマンドＦＦｈ以外のコマンドでかつ受信ＩＤとセット側ＩＤとが一致しない場合、画像処理部３は、受信コマンドに応じた画像処理を行なわない。
【００５３】
上述した機能は、画像処理部３の外部に備えるようにしてもよい。また、上述した機能は、ソフトウェアによって実現されるようにしてもよく、ハードウェアにより実現されるようにしてもよい。
【００５４】
図５は、上述した機能をソフトウェアによって実現する場合のプロジェクタＰＪ（画像処理部３）の処理フローである。この処理は、リモコンＲＭの出力信号をプロジェクタＰＪが受信した場合に実行される。
【００５５】
図５に示すように、ステップ（以下、ステップをＳと略す）１０にて、画像処理部３は、受信ＩＤが許可ＩＤであるか否かを判断する。この処理で肯定的な判断がなされると（Ｓ１０にてＹＥＳ）、処理はＳ２０に移される。そうでないと（Ｓ１０にてＮＯ）、処理は終了する。
【００５６】
Ｓ２０にて、画像処理部３は、受信コマンドがＩＤ表示コマンドＦＦｈであるか否かを判断する。この処理で肯定的な判断がなされると（Ｓ２０にてＹＥＳ）、処理はＳ３０に移される。そうでないと（Ｓ２０にてＮＯ）、処理はＳ４０に移される。
【００５７】
Ｓ３０にて、画像処理部３は、受信ＩＤがセット側ＩＤと一致するか否かを判断することなく、ＩＤ表示コマンドＦＦｈに対応する処理、すなわち受信ＩＤおよびセット側ＩＤをオンスクリーン表示するための処理を行なう。これにより、受信ＩＤ（リモコン側ＩＤ）およびセット側ＩＤがスクリーンＳＣに表示される。
【００５８】
Ｓ４０にて、画像処理部３は、受信ＩＤがセット側ＩＤと一致するか否かを判断する。この処理で肯定的な判断がなされると（Ｓ４０にてＹＥＳ）、処理はＳ５０に移される。そうでないと（Ｓ４０にてＮＯ）、処理は終了する。
【００５９】
Ｓ５０にて、画像処理部３は、通常どおり受信コマンドを実行するための処理を行なう。
【００６０】
以上のような構造および処理フローに基づくプロジェクタシステムのＩＤ表示機能について説明する。
【００６１】
まず、１台のリモコンＲＭで、１台のプロジェクタＰＪを遠隔操作する使用態様を想定する。
【００６２】
リモコン側ＩＤおよびセット側ＩＤは、上述した３３００ｈ〜３３７７ｈの８種類の許可ＩＤのいずれかに、それぞれ独立して設定されている。
【００６３】
ところが、リモコンＲＭには、リモコン側ＩＤを表示する手段がなく、従来においては、ユーザは、現在設定されているリモコン側ＩＤを知ることができなかった。また、リモコンＲＭの操作でセット側ＩＤを変更した場合、セット側ＩＤを変更した瞬間に、それまで使用していたリモコンＲＭでプロジェクタＰＪを操作できなくなる。この際、リモコン側ＩＤを変更前のセット側ＩＤに戻したい場合であっても、従来においては、ユーザはどのＩＤに戻してよいか分からなかった。
【００６４】
これに対し、本実施の形態に係るプロジェクタシステムにおいては、リモコン側ＩＤとセット側ＩＤとをオンスクリーン表示させるためのＩＤ表示コマンドＦＦｈが予め決められている。
【００６５】
そして、ユーザがリモコンＲＭに対してＩＤ表示操作を行なうと、リモコン側ＩＤとＩＤ表示コマンドＦＦｈとを含む出力信号が、リモコンＲＭからプロジェクタＰＪに送信される。
【００６６】
リモコンＲＭの出力信号を受信したプロジェクタＰＪは、受信ＩＤが許可ＩＤであり（Ｓ１０にてＹＥＳ）かつ受信コマンドがＩＤ表示コマンドＦＦｈであると（Ｓ２０にてＹＥＳ）、受信ＩＤとセット側ＩＤとが一致するか否かに関わらず、受信ＩＤおよびセット側ＩＤを示す画像をスクリーンＳＣに表示する（Ｓ３０）。
【００６７】
すなわち、ユーザは、リモコンＲＭに対してＩＤ表示操作を行なうだけで、受信ＩＤとセット側ＩＤとを同時にスクリーンＳＣに表示させることができる。ユーザは、このスクリーンＳＣを見て、現在設定されているリモコン側ＩＤとセット側ＩＤとを同時に知ることができる。
【００６８】
さらに、受信ＩＤとセット側ＩＤとが同じスクリーンＳＣに表示されるため、ユーザは、受信ＩＤとセット側ＩＤとが一致しているのか否か、およびリモコン側ＩＤをどのＩＤに設定すべきかを一見して把握することができる。受信ＩＤとセット側ＩＤとが不一致である場合には、ユーザがリモコン側ＩＤをセット側ＩＤに一致させる操作を行なうことによって、リモコンＲＭでプロジェクタＰＪを操作できるようになる。
【００６９】
次に、図６に示すように、２台のリモコンＲＭ１，ＲＭ２で、隣接した２台のプロジェクタＰＪ１，ＰＪ２を遠隔操作する使用態様を想定する。なお、このような使用態様は、主に、業務用途として、複数のプロジェクタからの画像を同時に投影したマルチ画像を表示するときなどによく用いられる。
【００７０】
この際、たとえば、リモコンＲＭ１側ＩＤとプロジェクタＰＪ１側ＩＤとを共に「３３００ｈ」に設定し、リモコンＲＭ２側ＩＤとプロジェクタＰＪ２側ＩＤ番号とを共に「３３１１ｈ」に設定することで、リモコンＲＭ１をプロジェクタＰＪ１の専用リモコンとして使用し、リモコンＲＭ２をプロジェクタＰＪ２の専用リモコンとして使用することが可能である。
【００７１】
ところが、上述のように、各リモコンにはＩＤを表示する手段がなく、ユーザは、各リモコンが、２台のプロジェクタのどちらに使用できるのか、あるいは、２台のプロジェクタのどちらにも使用できないのか、を知ることができなかった。
【００７２】
これに対し、本実施の形態に係るプロジェクタシステムにおいては、たとえば、ユーザがリモコンＲＭ１に対してＩＤ表示操作を行なうと、プロジェクタＰＪ１からはリモコンＲＭ１側ＩＤおよびプロジェクタＰＪ１側ＩＤを示す画像が、プロジェクタＰＪ２からはリモコンＲＭ１側ＩＤおよびプロジェクタＰＪ２側ＩＤを示す画像が、それぞれ同時にマルチ画面としてスクリーンＳＣに投影される。
【００７３】
すなわち、ユーザは、リモコンＲＭ１に対してＩＤ表示操作を行なうだけで、リモコンＲＭ１側ＩＤ、プロジェクタＰＪ１側ＩＤ、プロジェクタＰＪ２側ＩＤを同時にスクリーンＳＣのマルチ画面に表示させることができる。ユーザは、このマルチ画面に表示されたＩＤを見て、リモコンＲＭ１側ＩＤを知ることができるとともに、リモコンＲＭ１側ＩＤをどのＩＤに設定すべきかを一見して把握することができる。なお、リモコンＲＭ２側ＩＤの把握および設定を行なう場合は、同様に、リモコンＲＭ２に対してＩＤ表示操作を行なえばよい。
【００７４】
以上のように、本実施の形態に係るプロジェクタシステムにおいては、リモコン側ＩＤとセット側ＩＤとをオンスクリーン表示させるためのＩＤ表示コマンドＦＦｈを予め決めておき、プロジェクタがリモコンからＩＤ表示コマンドＦＦｈを受信した場合には、リモコン側ＩＤとセット側ＩＤとが不一致であっても、リモコン側ＩＤとセット側ＩＤとをオンスクリーン表示させて、各ＩＤをリモコンのユーザに知らしめることにした。そのため、ユーザはリモコン側ＩＤを容易に把握することができる。
【００７５】
＜第２の実施の形態＞
以下、本発明の第２の実施の形態に係るプロジェクタシステムについて説明する。
【００７６】
前述の第１の実施の形態では、ＩＤをオンスクリーン表示させるためのＩＤ表示コマンドＦＦｈを予め決めておき、プロジェクタがリモコンからＩＤ表示コマンドＦＦｈを受信した場合に、ＩＤをオンスクリーン表示させる場合について説明した。
【００７７】
これに対し、本実施の形態では、前述の第１の実施の形態に加えてあるいは代えて、プロジェクタシステムの操作手法を示すガイドを表示させるための「ガイド表示コマンド」を予め決めておき、プロジェクタがリモコンからこの「ガイド表示コマンド」を受信した場合に、プロジェクタシステムの操作ガイドをオンスクリーン表示させるものである。その他の構造、機能、処理は、前述の第１の実施の形態と同じであるため、ここでの詳細な説明は繰返さない。
【００７８】
なお、以下の説明においては、前述の第１の実施の形態に示したＩＤ表示操作が通常では用いない特殊な操作であることに鑑み、ＩＤ表示操作の手法を示すガイドを表示させる場合について説明する。
【００７９】
図７は、本実施の形態に係るプロジェクタＰＪ（画像処理部３）の処理フローである。なお、図７に示した処理フローの中で、前述の図５に示した処理フローと同じ処理については同じステップ番号を付してある。それらについて処理も同じである。したがって、それらについての詳細な説明はここでは繰返さない。
【００８０】
Ｓ６０にて、画像処理部３は、受信コマンドが上述したガイド表示コマンドであるか否かを判断する。この処理で肯定的な判断がなされると（Ｓ６０にてＹＥＳ）、処理はＳ７０に移される。そうでないと（Ｓ６０にてＮＯ）、処理はＳ４０に移される。
【００８１】
Ｓ７０にて、画像処理部３は、受信ＩＤがセット側ＩＤと一致するか否かを判断することなく、ガイド表示コマンドに対応する処理、たとえば受信ＩＤおよびセット側ＩＤを表示するための操作手法（ＩＤ表示操作の手法）を示すガイドをオンスクリーン表示するための処理を行なう。これにより、ＩＤ表示操作の手法を示すガイドがスクリーンＳＣに表示される。なお、他の操作手法を示すガイドを表示するようにしてもよい。
【００８２】
このように、本実施の形態に係るプロジェクタシステムにおいては、ＩＤ表示操作の手法を示すガイドを表示させるためのガイド表示コマンドを予め決めておき、プロジェクタがリモコンからこのガイド表示コマンドを受信した場合に、リモコン側ＩＤとセット側ＩＤとが不一致であっても、ＩＤ表示操作の手法を示すガイドをオンスクリーン表示させてユーザに知らしめることにした。これにより、ユーザはスクリーンＳＣに表示されたガイドを見てＩＤ表示操作を行なうことができる。そのため、ユーザはリモコン側ＩＤを容易にスクリーンＳＣに表示させることができる。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８４】
１  画像処理装置、２  画像供給部、３  画像処理部、３Ａ  第１判断部、３Ｂ  第２判断部、３Ｃ  ＩＤ表示処理部、３Ｄ  コマンド実行部、４  表示制御部、５  入力受付部、６  受信部、７  記憶部、８  駆動信号、２０  投影部、３１  入力受付部、３２  記憶部、３３  処理部、３４  送信部、ＰＪ  プロジェクタ、ＲＭ  リモコン、ＳＣ  スクリーン。
【図１】
2011019063.tif 000003
【図２】
2011019063.tif 000004
【図３】
2011019063.tif 000005
【図４】
2011019063.tif 000006
【図５】
2011019063.tif 000007
【図６】
2011019063.tif 000008
【図７】
2011019063.tif 000009